(57)【要約】【課題】簡単な構造で、蓋体を電力により駆動して開閉可能な調理器を提供する。【解決手段】炊飯器２は、炊飯器本体８と、炊飯器本体８に対して回転軸部材１０を介して相対的に回転可能に連結されており、回転軸部材１０を中心として、閉鎖位置と開放位置との間で回転可能な蓋体１２と、炊飯器本体８に固定され、回転軸部材１０を回転駆動する駆動装置１８とを備える。回転軸部材１０は、断面が非円形である第１部分２０および第２部分２２を備える。蓋体１２は、回転軸部材１０の第１部分２０の断面形状と相補的な形状の蓋体孔２４を有し、蓋体孔２４において第１部分２０と係合することで、回転軸部材１０と共に回転する。駆動装置１８は、回転軸部材１０の第２部分２２の断面形状と相補的な形状の駆動孔３０を有し、駆動孔３０において第２部分２２と係合することで、回転軸部材１０を回転駆動する。【選択図】図２
2017202064.tif 000002
【特許請求の範囲】
【請求項１】
調理器本体と、
前記調理器本体に対して回転軸部材を介して相対的に回転可能に連結されており、前記回転軸部材を中心として、閉鎖位置と開放位置との間で回転可能な蓋体と、
前記調理器本体に固定され、前記回転軸部材を回転駆動する駆動装置と
を備える調理器であって、
前記回転軸部材は、断面が非円形である第１部分および第２部分を備え、
前記蓋体は、前記回転軸部材の前記第１部分の断面形状と相補的な形状の蓋体孔を有し、前記蓋体孔において前記第１部分と係合することで、前記回転軸部材と共に回転し、
前記駆動装置は、前記回転軸部材の前記第２部分の断面形状と相補的な形状の駆動孔を有し、前記駆動孔において前記第２部分と係合することで、前記回転軸部材を回転駆動する、調理器。
【請求項２】
前記蓋体は、補強板を備え、
前記蓋体孔は、前記補強板に設けられている、請求項１に記載の調理器。
【請求項３】
調理器本体と、
前記調理器本体に対して回転軸部材を介して相対的に回転可能に連結されており、前記回転軸部材を中心として、閉鎖位置と開放位置との間で回転可能な蓋体と、
前記蓋体に固定され、前記回転軸部材を回転駆動する駆動装置と
を備える調理器であって、
前記回転軸部材は、断面が非円形である第１部分および第２部分を備え、
前記調理器本体は、前記回転軸部材の前記第１部分の断面形状と相補的な形状の本体孔を有し、前記本体孔において前記第１部分と係合することで、前記蓋体が反作用力により前記回転軸部材と共に回転し、
前記駆動装置は、前記回転軸部材の前記第２部分の断面形状と相補的な形状の駆動孔を有し、前記駆動孔において前記第２部分と係合することで、前記回転軸部材を回転駆動する、調理器。
【請求項４】
前記調理器本体は、補強板を備え、
前記本体孔は、前記補強板に設けられている、請求項３に記載の調理器。
【請求項５】
前記回転軸部材の前記第１部分および前記第２部分は、異なる断面形状を有する、請求項１から請求項４のいずれか１項に記載の調理器。
【発明の詳細な説明】
【技術分野】
【０００１】
本発明は、調理器に関する。
【背景技術】
【０００２】
炊飯器等の調理器では、ばねによる付勢力で蓋体が駆動されることが多い。このような調理器の蓋体の駆動機構が、例えば特許文献１（特開２００５−２１１３２２号公報）に開示されている。また、調理器の中には、ばねによる付勢力で蓋体を駆動せず、電力で蓋体を駆動するものもある。そのような電力で蓋体を駆動する調理器が、例えば特許文献２（特開２００５−２１１３２２号公報）に開示されている。
【先行技術文献】
【特許文献】
【０００３】
【特許文献１】特開２００５−２１１３２２号公報
【特許文献２】実開平４−１１６９１４号公報
【発明の概要】
【発明が解決しようとする課題】
【０００４】
調理器の蓋体を電力で駆動する場合、電力を使用して調理器の蓋体を回転させる駆動装置を取り付ける必要がある。駆動装置を含めた蓋体の電動開閉機構は、手動の場合と比べて複雑となる。
【０００５】
本発明は、簡単な構造で、蓋体を電力により駆動して開閉可能な調理器を提供することを課題とする。
【課題を解決するための手段】
【０００６】
本発明の第１の態様の調理器は、調理器本体と、前記調理器本体に対して回転軸部材を介して相対的に回転可能に連結されており、前記回転軸部材を中心として、閉鎖位置と開放位置との間で回転可能な蓋体と、前記調理器本体に固定され、前記回転軸部材を回転駆動する駆動装置とを備える調理器であって、前記回転軸部材は、断面が非円形である第１部分および第２部分を備え、前記蓋体は、前記回転軸部材の前記第１部分の断面形状と相補的な形状の蓋体孔を有し、前記蓋体孔において前記第１部分と係合することで、前記回転軸部材と共に回転し、前記駆動装置は、前記回転軸部材の前記第２部分の断面形状と相補的な形状の駆動孔を有し、前記駆動孔において前記第２部分と係合することで、前記回転軸部材を回転駆動する。
【０００７】
この構成によれば、簡単な構造で、蓋体を電力により駆動して開閉可能な調理器を提供できる。具体的には、回転軸部材のみを介して駆動装置から蓋体に回転力を伝達できるため、回転力伝達用の他の部品を要せず、追加部品を最小限にでき、駆動装置の回転駆動力を的確に蓋体に伝達できる。そのため、駆動装置の省力化が可能であり、調理器の省エネに寄与する。ここで「相補的な形状」とは、回転軸部材から蓋体に力の伝達が可能である形状のことをいい、必ずしも相似形状またはその他互いに類する形状でなくともよい。
【０００８】
前記蓋体は、補強板を備え、前記蓋体孔は、前記補強板に設けられていてもよい。
【０００９】
この構成によれば、補強板により蓋体を補強でき、さらに補強板に蓋体孔が設けられていることで蓋体孔を形成する部分の耐久性を向上できる。
【００１０】
本発明の第２の態様の調理器は、調理器本体と、前記調理器本体に対して回転軸部材を介して相対的に回転可能に連結されており、前記回転軸部材を中心として、閉鎖位置と開放位置との間で回転可能な蓋体と、前記蓋体に固定され、前記回転軸部材を回転駆動する駆動装置とを備える調理器であって、前記回転軸部材は、断面が非円形である第１部分および第２部分を備え、前記調理器本体は、前記回転軸部材の前記第１部分の断面形状と相補的な形状の本体孔を有し、前記本体孔において前記第１部分と係合することで、前記蓋体が反作用力により前記回転軸部材と共に回転し、前記駆動装置は、前記回転軸部材の前記第２部分の断面形状と相補的な形状の駆動孔を有し、前記駆動孔において前記第２部分と係合することで、前記回転軸部材を回転駆動する。
【００１１】
この構成によれば、駆動装置が蓋体側に固定されている場合でも、上述と同様に、簡単な構造で、蓋体を電力により駆動して開閉可能な調理器を提供できる。ここで「相補的な形状」とは、回転軸部材から調理器本体に力の伝達が可能である形状のことをいい、必ずしも相似形状またはその他互いに類する形状でなくともよい。
【００１２】
前記調理器本体は、補強板を備え、前記本体孔は、前記補強板に設けられていてもよい。
【００１３】
この構成によれば、補強板により調理器本体を補強でき、さらに補強板に本体孔が設けられていることで本体孔を形成する部分の耐久性を向上できる。
【００１４】
上記の第１および第２の態様の調理器は、前記回転軸部材の前記第１部分および前記第２部分は、異なる断面形状を有していてもよい。
【００１５】
この構成によれば、回転軸部材の第１部分と第２部分の断面形状が異なるため、調理器の組み立ての際、回転軸部材の向きに関する誤装着を防止できる。ここで、第１部分と第２部分の断面形状が異なるとは、単に形状が異なる場合だけでなく、形状自体が同じでも、大きさ、位置、および向き等異なる場合も含む。
【発明の効果】
【００１６】
本発明によれば、簡単な構造で、蓋体を電力により駆動して開閉可能な調理器を提供できる。
【図面の簡単な説明】
【００１７】
【図１】本発明の第１実施形態に係る開放状態の炊飯器の前方斜視図。
【図２】図１の炊飯器の閉鎖状態のバックカバーを外した状態の背面斜視図。
【図３】図２の補強板と駆動装置と回転軸部材とを示す斜視図。
【図４Ａ】回転軸部材の第１変形例を示す模式図。
【図４Ｂ】回転軸部材の第２変形例を示す模式図。
【図４Ｃ】回転軸部材の第３変形例を示す模式図。
【図５】本発明の第２実施形態に係る炊飯器の補強板と駆動装置と回転軸部材とを示す斜視図。
【図６】回転軸部材の変形例を示す斜視図。
【発明を実施するための形態】
【００１８】
以下、添付図面を参照して本発明の実施形態を説明する。
【００１９】
＜第１実施形態＞
（本実施形態の炊飯器の構成）
図１は、本発明の第１実施形態に係る炊飯器（調理器）２を示す。炊飯器２は、内鍋である炊飯鍋４が取出可能に配置される収容部６を有する炊飯器本体（調理器本体）８と、炊飯器本体８に対して回転軸部材１０を介して相対的に回転可能に連結されており、回転軸部材１０を中心として、閉鎖位置と開放位置との間で回転可能な蓋体１２とを備える。
【００２０】
収容部６の下側の炊飯器本体８内には、加熱手段である誘導加熱コイル（図示せず）が配置されている。蓋体１２の正面側には、炊飯器本体８に対して蓋体１２を閉じた状態に維持するためのロック部材１４が配置されている。また、蓋体１２には、収容部６に配置した炊飯鍋４の上端開口をシールするシール部材１６が配置されている。また、蓋体１２には、炊飯鍋４内で発生した蒸気を外部へ排出する排気通路（図示せず）が設けられている。
【００２１】
炊飯鍋４は、金属製かつ概ね有底円筒状である。炊飯鍋４は、設定された量の飯米と水が収容された状態で収容部６に配置される。炊飯鍋４が収容部６に配置され、蓋体１２が閉じられた状態で、図示しない操作パネルを操作し、炊飯処理を実行することで、上記の誘導加熱コイルが動作される。これにより、この誘導加熱コイルによって炊飯鍋４が誘導加熱され、米飯が炊き上げられる。
【００２２】
図２は、図１の炊飯器２の背面側を示す。図２では、炊飯器本体８のバックカバーが外された状態であり、炊飯器本体８の内部が一部見えている。炊飯器本体８の背面側内部には、蓋体１２を回転可能に配置するための回転軸部材１０と、回転軸部材１０を回転駆動する駆動装置１８とが配置されている。
【００２３】
回転軸部材１０は、金属等で構成でき、後述するように、断面が非円形である第１部分２０および第２部分２２を備える。
【００２４】
蓋体１２は、回転軸部材１０の第１部分２０の断面形状と相補的な形状の蓋体孔２４を有し、蓋体孔２４において回転軸部材１０の第１部分２０と係合することで、回転軸部材１０と共に回転する。本実施形態では、蓋体１２は、補強板２６を備え、蓋体孔２４は、補強板２６に設けられている。ただし、蓋体１２は必ずしも補強板２６を備えている必要はなく、蓋体１２が補強板２６を備えていない場合、蓋体孔２４は蓋体１２に直接設けられる。ここで「相補的な形状」とは、回転軸部材１０から蓋体１２に力の伝達が可能である形状のことをいい、必ずしも相似形状またはその他互いに類する形状でなくともよい。
【００２５】
駆動装置１８は、ブラケット２８により炊飯器本体８に固定されている。駆動装置１８は、回転軸部材１０の第２部分２２の断面形状と相補的な形状の駆動孔３０を有し、駆動孔３０において第２部分２２と係合することで、回転軸部材１０を回転駆動する。
【００２６】
図３は、図２の炊飯器２の補強板２６と駆動装置１８と回転軸部材１０とを示す。補強板２６は、蓋体１２内の全体にわたって設けられている板金本体部３２と、板金本体部３２から延び、蓋体孔２４を含むヒンジ部３４とを備える。
【００２７】
図３中に一部拡大して示すように、補強板２６の蓋体孔２４および駆動装置１８の駆動孔３０は、側面視において同心に配置されている。蓋体孔２４および駆動孔３０には、直線状の回転軸部材１０が挿通されている。回転軸部材１０は、第１部分２０および第２部分２２でそれぞれ蓋体孔２４および駆動孔３０と係合している。本実施形態では、回転軸部材１０は、断面形状が全体にわたって一様であり、円形の上部および下部が切り欠かれた形状である。そのため、本実施形態では、回転軸部材１０の第１部分２０および第２部分２２の形状は同じである。従って、蓋体孔２４および駆動孔３０は、回転軸部材１０と相補的な形状、即ち円形の上部および下部が切り欠かれた概ね同じ形状である。
【００２８】
（本実施形態の炊飯器の作用）
本実施形態の炊飯器２の蓋体１２は、電力により駆動されて開閉する。この駆動は、駆動装置１８によって行われる。具体的には、ユーザが蓋体１２の前面にある自動開閉スイッチ３６（図１参照）を押下すると、駆動装置１８が駆動孔３０を介して回転軸部材１０の第２部分２２に回転力を伝達する（図３参照）。回転力を受けて回転軸部材１０が回転されると、補強板２６の蓋体孔２４を介して回転軸部材１０の第１部分２０から補強板２６に回転力が伝達される。従って、補強板２６と共に蓋体１２が回転駆動され、蓋体１２が開閉される。本実施形態では、自動開閉スイッチ３６は、蓋体１２の前面に一つ設けられており、蓋体１２が閉鎖状態のときに自動開閉スイッチ３６を押下すると蓋体１２は開放され、蓋体１２が開放状態のときに自動開閉スイッチ３６を押下すると蓋体１２は閉鎖される。
【００２９】
（本実施形態の炊飯器の効果）
以上の構成によれば、簡単な構造で、蓋体１２を電力により駆動して開閉可能な炊飯器２を提供できる。具体的には、回転軸部材１０のみを介して駆動装置１８から蓋体１２に回転力を伝達できるため、回転力伝達用の他の部品を要せず、追加部品を最小限にでき、駆動装置１８の回転駆動力を的確に蓋体１２に伝達できる。そのため、駆動装置１８の省力化が可能であり、炊飯器２の省エネに寄与している。
【００３０】
また、蓋体１２が補強板２６を備えるため、補強板２６により蓋体１２を補強でき、さらに補強板２６に蓋体孔２４が設けられていることで蓋体孔２４を形成する部分の耐久性を向上できる。
【００３１】
（本実施形態の炊飯器の変形例）
図４Ａから４Ｃは、回転軸部材１０の断面形状についての変形例を示す。上記の効果を奏するためには、回転軸部材１０は、第１部分２０および第２部分２２が非円形状であればよい。例えば、図４Ａに示すように、回転軸部材１０の断面形状は、六角形のような多角形状であってもよい。また、図４Ｂに示すように、楕円形状であってもよい。また、図４Ｃに示すように、概ね円形状であるが、径方向内側へ部分的に切欠かれている形状であってもよい。
【００３２】
蓋体１２の蓋体孔２４および駆動装置１８の駆動孔３０は、図４Ａから４Ｃの回転軸部材１０のいずれの場合であってもこれらと相補的な形状を有する。また、後述するが、回転軸部材１０の断面形状は、長手方向全体にわたって一様でなくてもよい。
【００３３】
なお、本実施形態では、補強板２６の蓋体孔２４に回転軸部材１０が直接挿通されているが、回転軸部材１０は、蓋体孔２４に対して別部材を間に介して配置されてもよい。この場合、部品点数が増加するが、設計の自由度は向上する。
【００３４】
＜第２実施形態＞
図５は、本発明の第２実施形態に係る炊飯器２の駆動装置１８と補強板３８と回転軸部材１０とを示す。これらに関する部分以外の構成は第１実施形態と同様である。従って、第１実施形態に示した構成と同様の部分については説明を省略する。
【００３５】
本実施形態では、駆動装置１８は、蓋体１２に固定されている。なお、図５は、第１実施形態の図３に対応しており、蓋体１２の図示は省略されている。
【００３６】
炊飯器本体８は、回転軸部材１０の第１部分２０の断面形状と相補的な形状の本体孔４０を有し、本体孔４０において第１部分２０と係合することで、蓋体１２が反作用力により回転軸部材１０と共に回転する。具体的には、炊飯器本体８を載置面に置いた状態で、蓋体１２に固定された駆動装置１８が炊飯器本体８を回転駆動させようとしたとき、蓋体１２が載置面からの反作用力を受け、蓋体１２が回転駆動される。本実施形態では、炊飯器本体８は、補強板３８を備え、本体孔４０は、補強板３８に設けられている。ただし、炊飯器本体８は必ずしも補強板３８を備えている必要はなく、炊飯器本体８が補強板３８を備えていない場合、本体孔４０は炊飯器本体８に直接設けられる。ここで「相補的な形状」とは、回転軸部材１０から炊飯器本体８に力の伝達が可能である形状のことをいい、必ずしも相似形状またはその他互いに類する形状でなくともよい。
【００３７】
本実施形態の構成によれば、駆動装置１８が蓋体１２側に固定されている場合でも、第１実施形態と同様に、簡単な構造で、蓋体１２を電力により駆動して開閉可能な炊飯器２を提供できる。
【００３８】
また、炊飯器本体８が補強板３８を備えるため、補強板３８により炊飯器本体８を補強でき、さらに補強板３８に本体孔４０が設けられていることで本体孔４０を形成する部分の耐久性を向上できる。
【００３９】
なお、本実施形態では、補強板３８の本体孔４０に回転軸部材１０が直接挿通されているが、回転軸部材１０は、本体孔４０に対して別部材を間に介して配置されてもよい。この場合、部品点数が増加するが、設計の自由度は向上する。
【００４０】
＜回転軸部材の変形例＞
図６は、本発明の第１実施形態および第２実施形態のいずれにも適用可能である回転軸部材１０の変形例を示す。第１実施形態および第２実施形態では、回転軸部材１０の断面形状は一様であったが、本変形例では第１部分２０と第２部分２２の断面形状が異なる。
【００４１】
具体的には、回転軸部材１０の第１部分２０は、図において左右部分が円形から切り欠かれており、第２部分２２は図において上下方向が円形から切り欠かれている。回転軸部材１０の第１部分２０および第２部分２２以外の部分は、断面形状が円形である。特に、本実施形態の回転軸部材１０の第１部分２０と第２部分２２は、切欠き量が同じであり、即ち形状は同じであるが、向きが異なっている。なお、第１部分２０と第２部分２２の断面形状は図示の形態に限らず、断面形状が異なっていればよい。ここで断面形状が異なるとは、単に形状が異なる場合だけでなく、形状自体が同じでも、大きさ、位置、および向き等を含めて総合的に異なる場合も含むことを意味する。
【００４２】
本実施形態の回転軸部材１０によれば、回転軸部材１０の第１部分２０と第２部分２２の断面形状が異なるため、炊飯器２の組み立ての際、回転軸部材１０の向きに関する誤装着を防止できる。
【００４３】
以上に、本発明の具体的な実施形態やその変形例について説明したが、本発明は上記形態に限定されるものではなく、この発明の範囲内で種々変更して実施することができる。例えば、個々の実施形態の内容を適宜組み合わせたものを、この発明の一実施形態としてもよい。
【符号の説明】
【００４４】
２  炊飯器（調理器）
４  炊飯鍋
６  収容部
８  炊飯器本体（調理器本体）
１０  回転軸部材
１２  蓋体
１４  ロック部材
１６  シール部材
１８  駆動装置
２０  第１部分
２２  第２部分
２４  蓋体孔
２６  補強板
２８  ブラケット
３０  駆動孔
３２  板金本体部
３４  ヒンジ部
３６  自動開閉スイッチ
３８  補強板
４０  本体孔
【図１】
2017202064.tif 000003
【図２】
2017202064.tif 000004
【図３】
2017202064.tif 000005
【図４Ａ】
2017202064.tif 000006
【図４Ｂ】
2017202064.tif 000007
【図４Ｃ】
2017202064.tif 000008
【図５】
2017202064.tif 000009
【図６】
2017202064.tif 000010